【事件の表示】
　特願２００２−１６６０２０「液晶表示装置」拒絶査定不服審判事件〔平成１６年　１月１５日出願公開、特開２００４−　１２８０２〕について、次のとおり審決する。
【結　論】
　本件審判の請求は、成り立たない。
【理　由】
１　手続の経緯・本願発明
　本願は、平成１４年６月６日の出願であって、平成１９年２月１３日に手続補正がなされたところ、同年６月２１日付けで拒絶査定がなされ、これに対し、同年７月３０日に拒絶査定不服審判請求がなされるとともに、同年８月２９日に手続補正がなされ、その後平成２１年３月３１日付けで当審において前記平成１９年８月２９日の手続補正が却下されるとともに同日付けで拒絶理由が通知され、同年６月１日付けで手続補正がなされたものである。
　
　そして、その請求項に係る発明は、平成２１年６月１日付け手続補正により補正された特許請求の範囲の請求項１〜４に記載された事項により特定されるものであると認められるところ、請求項１に係る発明は次のものである。
　
「色層および遮光膜の保護膜を有するカラーフィルタを備えた液晶表示装置において、前記保護膜は、架橋密度が７０％以上であること、およびビッカーズ硬度が５０ｋｇｆ／ｍｍ２以上であることのうちの少なくとも一方の条件を満たす透明有機樹脂からなり、前記保護膜によって液晶中に含まれる不純物量を３ｎｇ／ｃｍ２以下とした、ＩＰＳモードで作動することを特徴とする液晶表示装置。」（以下「本願発明」という。）
　
　
２　刊行物の記載事項
（１）引用刊行物１
　本願の出願前に頒布され、当審の拒絶の理由に引用された刊行物である特開２００１−２５５５１９号公報（以下「引用刊行物１」という。）には、図とともに下記の事項が記載されている。
　
ア　「【請求項１】駆動素子基板側にカラーフィルターを設けた横電界駆動方式液晶表示装置において、カラーフィルターに設けられた有機透明保護層を挟んで液晶を駆動する１組の電極が形成されたことを特徴とする液晶表示装置。」
　
イ　「【０００１】
【発明の属する技術分野】本発明は、高視野角で開口率が大きい横電界駆動方式の液晶表示装置に関する。」
　
ウ　「【０００６】本発明は、ＣＯＡで開口率を増加させた横電界駆動方式の液晶表示装置において高い収率を実現する簡素化された構造を提案するものである。」
　
エ　「【０００７】
【課題を解決するための手段】本発明の目的は以下の構成により達成される。
１）駆動素子基板側にカラーフィルターを設けた横電界駆動方式液晶表示装置において、カラーフィルターに設けられた有機透明保護層を挟んで液晶を駆動する１組の電極が形成されたことを特徴とする液晶表示素子。」
　
オ　「【０００８】
【発明の実施の形態】本発明に用いられる基板としては、特に限定されるものではなく、石英ガラス、ホウケイ酸ガラス、アルミノケイ酸塩ガラス、表面をシリカコートしたソーダライムガラスなどの無機ガラス類、有機プラスチックのフィルム又はシート等が好ましく用いられる。・・・
【０００９】この基板上に画素に対応した液晶駆動素子とそれらに信号を伝える配線を形成する。・・・横電界駆動方式においては、基板面内方向に電界を発生させるために、画素電極は櫛歯になっており、同じく櫛歯形状で画素電極に対向する共通電極と面内方向で所定の距離を隔てて対向している。・・・
【００１０】該能動素子、ゲート線、データ線、共通線が形成された後、カラーフィルターが形成される。ゲート線、データ線、共通線を組み合わせて、液晶が制御されていない部分や能動素子の遮光をするためのブラックマトリックスを形成することがコスト削減のためには望ましい。・・・
【００１９】フルカラーを実現するカラーフィルターは、赤、緑、青または黄、マゼンタ、シアンの三原色の着色層を有する。・・・
　・・・
【００２９】着色層の上には櫛歯状の画素電極もしくは共通電極が設けられる。・・・
【００３０】本発明のカラーフィルターは、画素電極もしくは共通電極を形成した後に、有機透明保護層を積層する。該有機透明保護層の上には、櫛歯状電極が設けられるので、着色層と同様に導通を取るための接続孔を形成する。透明保護層は、表面の平坦化の他、カラーフィルターなどからの不純物のしみ出し防止の働きがある。該透明保護層の膜厚は、平坦性向上、絶縁信頼性向上や不純物溶出防止のためには大きい方が良い。・・・
【００３１】有機透明保護層は、真空薄膜形成方法を用いる必要がなく低コストにできるばかりでなく、無機透明保護層に比べて平坦化能に優れている。また、誘電率が低く横電界駆動方式に有利である。有機透明保護層に用いられる樹脂としては、特に限定されないが、エポキシ系樹脂、アクリル系樹脂、エポキシ変性のアクリル樹脂、ウレタン系樹脂、ポリエステル系樹脂、ポリイミド系樹脂、ポリオレフィン系樹脂、シロキサンポリマー、シリコーンポリイミド、ベンゾシクロブテン樹脂などの感光性又は非感光性の材料が好ましく用いられる。感光性の樹脂としては、光分解型樹脂、光架橋型樹脂、光重合型樹脂などのタイプがあり、特に、エチレン不飽和結合を有するモノマ、オリゴマ又はポリマと紫外線によりラジカルを発生する開始剤とを含む感光性組成物、感光性ポリアミック酸組成物等が好適に用いられる。平坦化特性に優れるという観点から、エポキシ変性のアクリル樹脂や、エポキシ樹脂を使用することが好ましく、また、不純物成分の遮断性に優れるという観点から、シロキサンポリマー、シリコーンポリイミドを使用することが好ましい。また、平坦化特性と不純物の遮断性を両立させるためには、シロキサン結合を有するエポキシ変性のアクリル樹脂、シロキサン結合を有するエポキシ樹脂、シロキサン結合を有するベンゾシクロブテン樹脂を使用することが好ましい。」
　
　よって、これらの記載を総合すると、引用刊行物１には、次の発明（以下「引用発明」という。）が記載されていると認められる。
　
「基板上に画素に対応した液晶駆動素子とそれらに信号を伝える配線を形成した後、赤、緑、青または黄、マゼンタ、シアンの三原色の着色層を有するカラーフィルターを形成するとともに、液晶が制御されていない部分や能動素子の遮光をするためのブラックマトリックスを形成し、前記着色層の上には櫛歯状の画素電極もしくは共通電極を設け、前記画素電極もしくは共通電極を形成した後に有機透明保護層を積層する、駆動素子基板側にカラーフィルターを設けた横電界駆動方式液晶表示装置において、
　前記有機透明保護層は、カラーフィルターなどからの不純物のしみ出し防止の働きがあり、該有機透明保護層の膜厚は、不純物溶出防止のためには大きい方が良い、横電界駆動方式液晶表示装置。」
　
（２）引用刊行物２
　本願の出願前に頒布され、当審の拒絶の理由に引用された刊行物である特開２００１−３５００１０号公報（以下「引用刊行物２」という。）には、図とともに下記の事項が記載されている。
　
ア　「【０００１】
【発明の属する技術分野】本発明は、カラーフィルター、特に液晶表示装置用カラーフィルターに関し、さらに詳しくは、透明性、硬度、パシベーション性あるいは平坦性などの諸特性に優れた透明保護膜で被覆されたカラーフィルターに関する。・・・」
　
イ　「【０００２】
【従来の技術】・・・一般にカラー液晶表示装置（１０１）は、図１に示すように、カラーフィルター１とＴＦＴ基板等の電極基板２とを対向させて１〜１０μｍ程度の間隙部３を設け、当該間隙部３内に液晶化合物Ｌを充填し、その周囲をシール材４で密封した構造をとっている。カラーフィルター１は、透明基板５上に、画素間の境界部を遮光するために所定のパターンに形成されたブラックマトリックス層６と、各画素を形成するために複数の色（通常、赤（Ｒ）、緑（Ｇ）、青（Ｂ）の光の３原色）を所定順序に配列した着色層７又は最近ではカラーフィルターと、保護膜８と、透明電極膜９とが、透明基板に近い側からこの順に積層された構造をとっている。・・・
　・・・
【０００４】カラーフィルターの着色層７を被覆する保護膜８には、着色層を保護するために、十分な硬度と密着性が求められる。また、当該保護膜には、画素の色彩に悪影響を及ぼさないように、優れた透明性および優れた膜厚均一性が求められる。さらに、当該保護膜には、間隙部３に封入された液晶化合物が汚染されないように非汚染性、例えば、着色層側から液晶へ汚染物質が移行するのを阻止し得るパシベーション性や保護膜自体が液晶に溶出しない非溶出性が求められる。
　・・・
【０００８】カラーフィルターの保護膜は、保護層用の樹脂を含有する塗工液を着色層の上に塗工し、乾燥または固化させ、必要に応じて塗工膜をさらに架橋反応などにより硬化させることによって形成する。・・・
【０００９】上記のような諸特性が求められるカラーフィルターの保護膜を形成する方法としては、保護膜用材料としてＵＶ硬化型樹脂または熱硬化型樹脂を用い、これら何れかの樹脂を含有する塗工液を着色層上に塗工し、乾燥させた後、得られた塗工膜をＵＶ照射または加熱することにより保護膜を形成することが良く知られている。・・・
　・・・
【００１１】熱硬化型樹脂の保護膜を形成する場合には、酸成分とエポキシ成分の重合および／または架橋反応を利用するのが一般的である。保護膜の硬度やパシベーション性を向上させるためには、保護膜の架橋密度を大きくするのが好ましい。・・・」
　
ウ　「【００１３】
【発明が解決しようとする課題】本発明は、上記実状に鑑みて成し遂げられたものであり、その第一の目的は、架橋密度の高い熱硬化型樹脂の保護膜によって着色層を被覆したカラーフィルターを提供することにある。・・・」
　
エ　「【０１０５】本発明において作成される保護膜が優れた硬度、耐溶剤性および耐温純水性を示すのは、保護膜の架橋密度が非常に高いことが多いに貢献しているものと推測される。」
　
オ　「【０１３０】
【発明の効果】以上説明したように、本発明により提供される熱硬化型保護膜用塗工液は、エポキシ反応点の量に見合うほど高濃度に酸反応点を含有しており、架橋密度の高い保護膜を形成し得るものであり、しかも、保存性にも優れている。
　・・・
【０１３２】そして作成された保護膜はカラーフィルターの着色層を保護するのに十分な硬度、透明性、その他の諸要求特性を備えている。本発明の保護膜は架橋密度が高く、優れた塗膜硬度とパシベーション性が期待される。・・・」
　
　よって、これらの記載を総合すると、引用刊行物２には、次の技術的事項が記載されていると認められる。
　
「透明基板５上に、画素間の境界部を遮光するために所定のパターンに形成されたブラックマトリックス層６と、各画素を形成するために複数の色（通常、赤（Ｒ）、緑（Ｇ）、青（Ｂ）の光の３原色）を所定順序に配列した着色層７と、保護膜８と、透明電極膜９とが、透明基板に近い側からこの順に積層された構造をとっている液晶表示装置用カラーフィルターにおいて、
　前記保護膜８には、着色層側から液晶へ汚染物質が移行するのを阻止し得るパシベーション性が求められ、保護膜８の硬度やパシベーション性を向上させるためには、保護膜の架橋密度を大きくするのが好ましいこと。」
　
　
３　対比、判断
　本願発明と引用発明を対比する。
　
ア　引用発明の「横電界駆動方式液晶表示装置」は、「基板上に画素に対応した液晶駆動素子とそれらに信号を伝える配線を形成した後、赤、緑、青または黄、マゼンタ、シアンの三原色の着色層を有するカラーフィルターを形成するとともに、液晶が制御されていない部分や能動素子の遮光をするためのブラックマトリックスを形成し、前記着色層の上には櫛歯状の画素電極もしくは共通電極を設け、前記画素電極もしくは共通電極を形成した後に有機透明保護層を積層する」ものであるから、
（ア）引用発明の「赤、緑、青または黄、マゼンタ、シアンの三原色の着色層」、「液晶が制御されていない部分や能動素子の遮光をするためのブラックマトリックス」及び「有機透明保護層」は、それぞれ、本願発明の「色層」、「遮光膜」及び「保護膜」に相当するとともに、
（イ）引用発明の「基板上」の「着色層を有するカラーフィルター」、「ブラックマトリックス」及び「有機透明保護層」は、本願発明の「色層および遮光膜の保護膜を有するカラーフィルタ」に相当し、
（ウ）引用発明の「有機透明保護層」は、本願発明の「透明有機樹脂からなり」との事項を備える。
　
イ　引用発明の「横電界駆動方式液晶表示装置」は、「前記着色層の上には櫛歯状の画素電極もしくは共通電極が設け」られるものであるから、
（ア）引用発明の「横電界駆動方式液晶表示装置」は、本願発明の「液晶表示装置」に相当するとともに、
（イ）引用発明の「横電界駆動方式液晶表示装置」は、本願発明の「ＩＰＳモードで作動する」との事項を備える。
　
　したがって、両者は、　  
「色層および遮光膜の保護膜を有するカラーフィルタを備えた液晶表示装置において、前記保護膜は、透明有機樹脂からなり、ＩＰＳモードで作動する液晶表示装置。」
である点で一致し、次の点で相違する。　  
 　  
相違点
　本願発明は、保護膜が、架橋密度が７０％以上であること、およびビッカーズ硬度が５０ｋｇｆ／ｍｍ２以上であることのうちの少なくとも一方の条件を満たす透明有機樹脂からなり、前記保護膜によって液晶中に含まれる不純物量を３ｎｇ／ｃｍ２以下としたのに対し、引用発明は、保護膜が如何ほどの架橋密度、ビッカーズ硬度を有するのか不明であり、また、保護膜によって液晶中に如何ほどの不純物量が含まれるのか不明である点。
　
　上記相違点につき検討する。
　引用発明の「有機透明保護層」は、「カラーフィルターなどからの不純物のしみ出し防止の働きがあ」るものであり、該「有機透明保護層」が、カラーフィルターなどからの不純物しみ出し防止作用を十分有すべきことは当業者において明らかであるところ、引用刊行物２には、上記２（２）のとおり、「透明基板５上に、画素間の境界部を遮光するために所定のパターンに形成されたブラックマトリックス層６と、各画素を形成するために複数の色（通常、赤（Ｒ）、緑（Ｇ）、青（Ｂ）の光の３原色）を所定順序に配列した着色層７と、保護膜８と、透明電極膜９とが、透明基板に近い側からこの順に積層された構造をとっている液晶表示装置用カラーフィルターにおいて、前記保護膜８には、着色層側から液晶へ汚染物質が移行するのを阻止し得るパシベーション性が求められ、保護膜８の硬度やパシベーション性を向上させるためには、保護膜の架橋密度を大きくするのが好ましい」との技術的事項が記載され、保護膜の硬度や着色層側から液晶へ汚染物質が移行するのを阻止し得るパシベーション性を向上させるために、該保護膜の架橋密度を大きくするのが好ましいことが示されているから、カラーフィルターなどからの不純物しみ出し防止作用を十分に実現するために、引用発明にこの技術的事項を適用し、「有機透明保護層」の架橋密度を大きくし、その硬度やパシベーション性を向上させることは当業者が容易になし得ることである。そしてその際、該「有機透明保護層」の架橋密度を７０％以上となし、あるいはビッカーズ硬度を５０ｋｇｆ／ｍｍ２以上となし、それによって液晶中に含まれる不純物量を３ｎｇ／ｃｍ２以下となすことは、当業者が設計上の必要に応じて適宜になし得ることである。
　
　そして、本願発明によってもたらされる効果は、引用発明及び上記技術的事項から予測し得る程度のものである。  
 　  
　したがって、本願発明は、引用発明及び引用刊行物２に記載された技術的事項に基いて当業者が容易に発明をすることができたものである。
　
　
４　むすび
　以上のとおり、本願発明は、引用刊行物１に記載された発明及び引用刊行物２に記載された技術的事項に基いて当業者が容易に発明をすることができたものであるから、特許法第２９条第２項の規定により特許を受けることができない。
　
　よって、結論のとおり審決する。